(57)【特許請求の範囲】
【請求項１】
製品を構成する部品の属性情報であって登録番号を含んだ属性情報を管理すると共に製品を構成する部品の属性情報の親子関係を登録番号により表した構成情報を管理する構成登録管理装置と、該構成登録管理装置に対して属性情報および構成情報の管理を依頼する登録情報生成装置とを備えた部品表登録システムであって、
前記登録情報生成装置は、
製品を構成する部品の親子関係を示す親子関係情報が設定された構成テンプレートと、製品を構成する部品それぞれの属性情報が設定される属性情報設定欄が設けられた情報テンプレートとが製品構成種別毎に登録されたテンプレート記憶部と、
前記情報テンプレートの属性情報設定欄に設定する属性情報の候補であって、登録番号が未設定の属性情報の候補が登録された属性情報候補記憶部と、
端末装置から入力された製品構成種別に対応する構成テンプレートおよび情報テンプレートを、前記テンプレート記憶部に登録されている構成テンプレートおよび情報テンプレートの中から選択するテンプレート選択手段と、
前記属性情報候補記憶部に登録されている属性情報の候補の内、前記端末装置からの入力で選択された属性情報の候補を、前記テンプレート選択手段で選択された情報テンプレートの属性情報設定欄に設定する属性情報設定手段と、
前記テンプレート選択手段で選択された構成テンプレートと、前記属性情報設定手段で属性情報が設定された情報テンプレートとを前記構成登録管理装置へ送信する送信手段とを備え、
前記構成登録管理装置は、
前記登録情報生成装置から送られてきた情報テンプレートに設定されている、登録番号が未設定の属性情報に対する登録番号を自動採番し、該自動採番した登録番号を前記属性情報に埋め込むことにより自装置において管理対象にする属性情報を生成する属性情報生成手段と、
前記登録情報生成装置から送られてきた構成テンプレートと、前記属性情報生成手段で自動採番された登録番号とから自装置において管理対象にする構成情報を生成する構成情報生成手段とを備えたことを特徴とする部品表登録システム。
【請求項２】
請求項１記載の部品表登録システムにおいて、
前記属性情報生成手段は、自動採番した登録番号を前記登録情報生成装置へ送信し、
前記登録情報生成装置は、前記構成登録管理装置から送られてきた登録番号を、前記属性情報候補記憶部に登録されている属性情報の候補の内の該当する候補に埋め込む属性情報更新手段を備えたことを特徴とする部品表登録システム。
【請求項３】
請求項２記載の部品表登録システムにおいて、
前記属性情報生成手段は、前記登録情報生成装置から送られてきた情報テンプレートに設定されている属性情報に登録番号が含まれている場合は、前記情報テンプレートに設定されている属性情報をそのまま自装置の管理対象とすることを特徴とする部品表登録システム。
【請求項４】
請求項１乃至３の何れか１項に記載の部品表登録システムにおいて、
前記属性情報設定手段は、前記端末装置からの指示に従って、前記情報テンプレートに設定した属性情報を変更することを特徴とする部品表登録システム。
【請求項５】
製品を構成する部品の属性情報であって登録番号を含んだ属性情報を管理すると共に製品を構成する部品の属性情報の親子関係を登録番号により表した構成情報を管理する構成登録管理装置と、該構成登録管理装置に対して属性情報および構成情報の管理を依頼する登録情報生成装置とを備えた部品表登録システムにおける部品表登録方法であって、
前記登録情報生成装置は、製品を構成する部品の親子関係を示す親子関係情報が設定された構成テンプレートと、製品を構成する部品それぞれの属性情報が設定される属性情報設定欄が設けられた情報テンプレートとが製品構成種別毎に登録されたテンプレート記憶部と、前記情報テンプレートの属性情報設定欄に設定する属性情報の候補であって、登録番号が未設定の属性情報の候補が登録された属性情報候補記憶部とを備え、
前記登録情報生成装置が、端末装置から入力された製品構成種別に対応する構成テンプレートおよび情報テンプレートを、前記テンプレート記憶部に登録されている構成テンプレートおよび情報テンプレートの中から選択するテンプレート選択ステップと、
前記登録情報生成装置が、前記属性情報候補記憶部に登録されている属性情報の候補の内、前記端末装置からの入力で選択された属性情報の候補を、前記テンプレート選択ステップで選択された情報テンプレートの属性情報設定欄に設定する属性情報設定ステップと、
前記登録情報生成装置が、前記テンプレート選択ステップで選択された構成テンプレートと、前記属性情報設定ステップで属性情報が設定された情報テンプレートとを前記構成登録管理装置へ送信する送信ステップと、
前記構成登録管理装置が、前記登録情報生成装置から送られてきた情報テンプレートに設定されている、登録番号が未設定の属性情報に対する登録番号を自動採番し、該自動採番した登録番号を前記属性情報に埋め込むことにより自装置において管理対象にする属性情報を生成する属性情報生成ステップと、
前記構成登録管理装置が、前記登録情報生成装置から送られてきた構成テンプレートと、前記属性情報生成ステップで自動採番された登録番号とから自装置において管理対象にする構成情報を生成する構成情報生成ステップとを含むことを特徴とする部品表登録方法。
【請求項６】
請求項５記載の部品表登録方法において、
前記属性情報生成ステップでは、自動採番した登録番号を前記登録情報生成装置へ送信し、且つ、
前記登録情報生成装置が、前記構成登録管理装置から送られてきた登録番号を、前記属性情報候補記憶部に登録されている属性情報の候補の内の該当する候補に埋め込む属性情報更新ステップを含むことを特徴とする部品表登録方法。
【請求項７】
請求項６記載の部品表登録方法において、
前記属性情報生成ステップでは、前記登録情報生成装置から送られてきた情報テンプレートに設定されている属性情報に登録番号が含まれている場合は、前記情報テンプレートに設定されている属性情報をそのまま自装置の管理対象とすることを特徴とする部品表登録方法。
【請求項８】
請求項５乃至７の何れか１項に記載の部品表登録方法において、
前記属性情報設定ステップでは、前記端末装置からの指示に従って、前記情報テンプレートに設定した属性情報を変更することを特徴とする部品表登録方法。
【発明の詳細な説明】
【技術分野】
【０００１】
本発明はＰＤＭ(Product Data Management)システム等のように部品表が登録される部品表登録システムに関し、特に、部品表の登録作業を容易にすることが可能な部品表登録技術に関する。
【背景技術】
【０００２】
ＰＤＭシステムは、製品の設計・製造に関する各種データを一元的に管理するシステムであり、製品を構成する各部品の部品表などを一元的に管理する。ところで、或る製品に関する部品表をＰＤＭシステムに登録する場合、従来は、ユーザが手入力するのが一般的である（例えば、特許文献１参照）。
【０００３】
例えば、図１２（Ａ）に示すような筐体１０１とパッケージ１０２とから構成される製品に関する部品表を登録する場合には、次のようにする。先ず、筐体１０１に関する各種属性情報（登録番号、品名、アクセス権を有する担当者、バージョンなど）を、図１３に示す登録画面の入力欄に入力し、筐体１０１に関する全ての属性情報の入力が完了したら、登録ボタンを操作する。これにより、筐体１０１に関する各種属性情報が設定された部品表がＰＤＭシステムに登録される。その後、パッケージ１０２に関する各種属性情報を登録画面の入力欄に入力し、パッケージ１０２に関する全ての属性情報の入力が完了したら、登録ボタンを操作する。これにより、パッケージ１０２に関する部品表がＰＤＭシステムに登録される。そして、最後に、筐体１０１に関する部品表とパッケージ１０２に関する部品表との親子関係を示す情報を入力する。
【０００４】
また、例えば、図１２（Ｂ）に示すような筐体１０３と、パッケージ１０４、１０５とから構成される製品についての部品表を登録する場合には、筐体１０３、パッケージ１０４、１０５それぞれについて前述した操作と同様の操作を行い、その後、筐体１０３、パッケージ１０４、１０５に関する部品表の親子関係を入力する。
【０００５】
【特許文献１】特開２００５−３４６５３０号公報
【発明の開示】
【発明が解決しようとする課題】
【０００６】
上述したように従来は、或る製品に関する部品表を登録する場合、その製品を構成する部品それぞれの属性情報を手入力しなければならないため、ユーザに負担がかかるという問題があった。更に、従来は部品表の親子関係を示す情報を手入力しなければならないので、構成が複雑な製品に関する部品表の登録は、初心者には困難であった。
【０００７】
〔発明の目的〕
そこで、本発明の目的は、ユーザが製品を構成する部品の親子関係を意識することなく、簡単な操作を行うだけで部品表を登録できるようにすることにある。
【課題を解決するための手段】
【０００８】
本発明にかかる第１の部品表登録システムは、
製品を構成する部品の属性情報であって登録番号を含んだ属性情報を管理すると共に製品を構成する部品の属性情報の親子関係を登録番号により表した構成情報を管理する構成登録管理装置と、該構成登録管理装置に対して属性情報および構成情報の管理を依頼する登録情報生成装置とを備えた部品表登録システムであって、
前記登録情報生成装置は、
製品を構成する部品の親子関係を示す親子関係情報が設定された構成テンプレートと、製品を構成する部品それぞれの属性情報が設定される属性情報設定欄が設けられた情報テンプレートとが製品構成種別毎に登録されたテンプレート記憶部と、
前記情報テンプレートの属性情報設定欄に設定する属性情報の候補であって、登録番号が未設定の属性情報の候補が登録された属性情報候補記憶部と、
端末装置から入力された製品構成種別に対応する構成テンプレートおよび情報テンプレートを、前記テンプレート記憶部に登録されている構成テンプレートおよび情報テンプレートの中から選択するテンプレート選択手段と、
前記属性情報候補記憶部に登録されている属性情報の候補の内、前記端末装置からの入力で選択された属性情報の候補を、前記テンプレート選択手段で選択された情報テンプレートの属性情報設定欄に設定する属性情報設定手段と、
前記テンプレート選択手段で選択された構成テンプレートと、前記属性情報設定手段で属性情報が設定された情報テンプレートとを前記構成登録管理装置へ送信する送信手段とを備え、
前記構成登録管理装置は、
前記登録情報生成装置から送られてきた情報テンプレートに設定されている、登録番号が未設定の属性情報に対する登録番号を自動採番し、該自動採番した登録番号を前記属性情報に埋め込むことにより自装置において管理対象にする属性情報を生成する属性情報生成手段と、
前記登録情報生成装置から送られてきた構成テンプレートと、前記属性情報生成手段で自動採番された登録番号とから自装置において管理対象にする構成情報を生成する構成情報生成手段とを備えたことを特徴とする。
【０００９】
本発明にかかる第１の登録情報生成装置は、
製品を構成する部品の属性情報であって登録番号を含んだ属性情報を管理すると共に製品を構成する部品の属性情報の親子関係を登録番号により表した構成情報を管理する構成登録管理装置と、該構成登録管理装置に対して属性情報および構成情報の管理を依頼する登録情報生成装置とを備えた部品表登録システムの構成要素である登録情報生成装置であって、
製品を構成する部品の親子関係を示す親子関係情報が設定された構成テンプレートと、製品を構成する部品それぞれの属性情報が設定される属性情報設定欄が設けられた情報テンプレートとが製品構成種別毎に登録されたテンプレート記憶部と、
前記情報テンプレートの属性情報設定欄に設定する属性情報の候補であって、登録番号が未設定の属性情報の候補が登録された属性情報候補記憶部と、
端末装置から入力された製品構成種別に対応する構成テンプレートおよび情報テンプレートを、前記テンプレート記憶部に登録されている構成テンプレートおよび情報テンプレートの中から選択するテンプレート選択手段と、
前記属性情報候補記憶部に登録されている属性情報の候補の内、前記端末装置からの入力で選択された属性情報の候補を、前記テンプレート選択手段で選択された情報テンプレートの属性情報設定欄に設定する属性情報設定手段と、
前記テンプレート選択手段で選択された構成テンプレートと、前記属性情報設定手段で属性情報が設定された情報テンプレートとを前記構成登録管理装置へ送信する送信手段とを備えたことを特徴とする。
【００１０】
本発明にかかる第１の部品表登録方法は、
製品を構成する部品の属性情報であって登録番号を含んだ属性情報を管理すると共に製品を構成する部品の属性情報の親子関係を登録番号により表した構成情報を管理する構成登録管理装置と、該構成登録管理装置に対して属性情報および構成情報の管理を依頼する登録情報生成装置とを備えた部品表登録システムにおける部品表登録方法であって、
前記登録情報生成装置は、製品を構成する部品の親子関係を示す親子関係情報が設定された構成テンプレートと、製品を構成する部品それぞれの属性情報が設定される属性情報設定欄が設けられた情報テンプレートとが製品構成種別毎に登録されたテンプレート記憶部と、前記情報テンプレートの属性情報設定欄に設定する属性情報の候補であって、登録番号が未設定の属性情報の候補が登録された属性情報候補記憶部とを備え、
前記登録情報生成装置が、端末装置から入力された製品構成種別に対応する構成テンプレートおよび情報テンプレートを、前記テンプレート記憶部に登録されている構成テンプレートおよび情報テンプレートの中から選択するテンプレート選択ステップと、
前記登録情報生成装置が、前記属性情報候補記憶部に登録されている属性情報の候補の内、前記端末装置からの入力で選択された属性情報の候補を、前記テンプレート選択ステップで選択された情報テンプレートの属性情報設定欄に設定する属性情報設定ステップと、
前記登録情報生成装置が、前記テンプレート選択ステップで選択された構成テンプレートと、前記属性情報設定ステップで属性情報が設定された情報テンプレートとを前記構成登録管理装置へ送信する送信ステップと、
前記構成登録管理装置が、前記登録情報生成装置から送られてきた情報テンプレートに設定されている、登録番号が未設定の属性情報に対する登録番号を自動採番し、該自動採番した登録番号を前記属性情報に埋め込むことにより自装置において管理対象にする属性情報を生成する属性情報生成ステップと、
前記構成登録管理装置が、前記登録情報生成装置から送られてきた構成テンプレートと、前記属性情報生成ステップで自動採番された登録番号とから自装置において管理対象にする構成情報を生成する構成情報生成ステップとを含むことを特徴とする。
【００１１】
本発明にかかる第１のプログラムは、
製品を構成する部品の属性情報であって登録番号を含んだ属性情報を管理すると共に製品を構成する部品の属性情報の親子関係を登録番号により表した構成情報を管理する構成登録管理装置と、該構成登録管理装置に対して属性情報および構成情報の管理を依頼する登録情報生成装置とを備えた部品表登録システムの構成要素である登録情報生成装置を、製品を構成する部品の親子関係を示す親子関係情報が設定された構成テンプレート及び製品を構成する部品それぞれの属性情報が設定される属性情報設定欄が設けられた情報テンプレートが製品構成種別毎に登録されたテンプレート記憶部と、前記情報テンプレートの属性情報設定欄に設定する属性情報の候補であって、登録番号が未設定の属性情報の候補が登録された属性情報候補記憶部とを備えたコンピュータによって実現するためのプログラムであって、
前記コンピュータを、
端末装置から入力された製品構成種別に対応する構成テンプレートおよび情報テンプレートを、前記テンプレート記憶部に登録されている構成テンプレートおよび情報テンプレートの中から選択するテンプレート選択手段、
前記属性情報候補記憶部に登録されている属性情報の候補の内、前記端末装置からの入力で選択された属性情報の候補を、前記テンプレート選択手段で選択された情報テンプレートの属性情報設定欄に設定する属性情報設定手段、
前記テンプレート選択手段で選択された構成テンプレートと、前記属性情報設定手段で属性情報が設定された情報テンプレートとを前記構成登録管理装置へ送信する送信手段として機能させる。
【発明の効果】
【００１２】
本発明によれば、ユーザが製品を構成する部品の親子関係を意識することなく、簡単な操作を行うだけで部品表を登録することが可能になるという効果を得ることができる。
【発明を実施するための最良の形態】
【００１３】
次に、本発明を実施するための最良の形態について図面を参照して詳細に説明する。
【００１４】
〔本発明の実施の形態〕
図１を参照すると、本実施の形態にかかる部品表登録システムは、端末装置１と、登録情報生成装置２と、構成登録管理装置３とから構成され、それらはネットワーク（図示省略）を介して相互に接続されている。
【００１５】
端末装置１は、パーソナルコンピュータなどによって実現されるものであり、ユーザが行う操作に従って、登録情報生成装置２や構成登録管理装置３に対して各種指示を出力する機能や、登録情報生成装置２や構成登録管理装置３から送られてきた情報を図示を省略した表示部に表示する機能などを有する。
【００１６】
登録情報生成装置２は、入出力手段２１と、テンプレート選択手段２２と、属性情報設定手段２３と、属性情報更新手段２４と、記憶装置２５とを備えている。記憶装置２５には、テンプレート記憶部２６及び属性情報候補記憶部２７が設けられている。
【００１７】
テンプレート記憶部２６には、図２に示すように、製品構成種別Ａ、Ｂ、…毎に、構成テンプレートＴａ１、Ｔａ２、…と、情報テンプレートＴｂ１、Ｔｂ２、…とが登録されている。ここで、製品構成種別とは、製品をその製品を構成している部品の種類と個数とにより分類した際の分類先を示す情報である。例えば、１個の筐体と、２個のパッケージとから構成される製品は、その製品の種類がルータであっても、パーソナルコンピュータであっても同じ製品構成種別に分類される。
【００１８】
構成テンプレートＴａ１、Ｔａ２、…には、製品を構成する各部品（設計図、実装図なども含む）の親子関係を示す情報が設定されている。図３（Ａ）、（Ｂ）に構成テンプレートＴａ１、Ｔａ２の例を示す。同図（Ａ）に示した構成テンプレートＴａ１は、情報種別番号ＰＡ００１によって示される部品は、情報種別番号ＰＡ００２、ＤＡ００１によって示される部品の親部品であることを示している。また、同図（Ｂ）に示した構成テンプレートＴａ２は、情報種別番号ＰＡ００１によって示される部品は、情報種別番号ＰＡ００２、ＰＡ００３、ＤＡ００１、ＤＡ００２によって示される部品の親部品であることを示している。
【００１９】
情報テンプレートＴｂ１、Ｔｂ２、…は、対応する構成テンプレートＴａ１、Ｔａ２、…に親子関係が設定されている各部品の属性情報を設定するためのテンプレートである。図４（Ａ）、（Ｂ）に情報テンプレートＴｂ１、Ｔｂ２の一例を示す。同図（Ａ）に示した情報テンプレートＴｂ１には、構成テンプレートＴａ１に設定されている情報種別番号ＰＡ００１、ＰＡ００２、ＤＡ００１に対応付けて、登録要求番号、品名、その他の属性などの属性情報を設定する属性情報設定欄が設けらている。同図（Ｂ）に示した情報テンプレートＴｂ２には、構成テンプレートＴａ２に設定されている情報種別番号ＰＡ００１、ＰＡ００２、ＰＡ００３、ＤＡ００１、ＤＡ００２に対応付けて、登録要求番号、品名などの属性情報を設定する属性情報設定欄が設けられている。なお、図４の例では図示していないが、デフォルト属性がある場合は、情報テンプレートに予め設定しておいても良い。
【００２０】
属性情報候補記憶部２７には、情報種別番号ＰＡ００１、ＰＡ００２、…に対応付けて、情報テンプレートに設定する属性情報の候補が登録されている。図５に属性情報候補記憶部２７の内容例を示す。図５の例では、情報種別番号ＰＡ００１に対応付けて、情報テンプレートに設定する属性情報の候補２７１、２７２、…が登録されている。この候補２７１、２７２、…の内の何れかが、図４（ａ）に示した情報テンプレートＴｂ１の情報種別番号ＰＡ００１に対応する属性情報設定欄に設定される。属性情報の候補２７１、２７２、…は、項目として登録要求番号、品名、担当者、バージョン等を有している。なお、登録要求番号中「ＮＷＡ−＊」の「＊」は、自動採番を示すものである。更に、図５の例では、情報種別番号ＰＡ００２に対応付けて、情報テンプレートに設定する属性情報の候補２７３、２７４、…が登録されている。この候補の内の何れかが、図４（Ａ）に示した情報テンプレートＴｂ１の情報種別番号ＰＡ００２に対応する属性情報設定欄に設定される。
【００２１】
入出力手段２１は、ネットワークを介して端末装置１、構成登録管理装置３との間でデータをやり取りする機能を有する。
【００２２】
テンプレート選択手段２２は、端末装置１から製品構成種別を含む部品表登録要求が入力されたとき、上記製品構成種別に対応した構成テンプレートおよび情報テンプレートをテンプレート記憶部２６から検索して属性情報設定手段２３に引き渡す機能を有する。
【００２３】
属性情報設定手段２３は、テンプレート選択手段２２から渡された構成テンプレートに設定されている親情報（情報種別番号）をキーにして属性情報候補記憶部２７から属性情報の候補を検索し、検索した候補中の品名の一覧を端末装置１へ送信する機能や、ユーザによって選択された品名とテンプレート選択手段２２から渡された構成テンプレート中の各情報種別番号とをキーにして属性情報候補記憶部２７に登録されている属性情報の候補の中から情報テンプレートに設定する属性情報の候補を検索する機能や、検索した属性情報の候補をテンプレート選択手段２２から渡された情報テンプレートの属性情報設定欄に設定する機能や、属性情報を設定済みの情報テンプレートおよび構成テンプレートを入出力手段２１を介して構成登録管理装置３に送信する機能などを有する。
【００２４】
属性情報更新手段２４は、構成登録管理装置３から送られてくる属性情報変更要求に従って属性情報候補記憶部２７に登録されている該当する属性情報の候補の内容を変更する機能を有する。
【００２５】
なお、登録情報生成装置２は、コンピュータによって実現可能であり、コンピュータによって実現する場合は、例えば次のようにする。コンピュータを登録情報生成装置２として機能させるためのプログラムを記録したディスク、半導体メモリなどを用意し、コンピュータに上記プログラムを読み取らせる。コンピュータは、読み取ったプログラムに従って自身の動作を制御することにより、自コンピュータ上に入出力手段２１、テンプレート選択手段２２、属性情報設定手段２３、属性情報更新手段２４を実現する。
【００２６】
構成登録管理装置３は、入出力手段３１と、属性情報生成手段３２と、構成情報生成手段３３と、記憶装置３４と、作業領域として使用する記憶装置３７とを備えている。記憶装置３４には、構成情報記憶部３５と、属性情報記憶部３６とが設けられている。
【００２７】
構成情報記憶部３５には、製品を構成する各部品の親子関係を示す構成情報が登録される。図６（Ａ）に或る製品についての構成情報を示す。この例は、登録番号ＮＷＡ−００１で属性情報が登録されている部品は、登録番号ＮＷＡ−００２、ＮＷＤ−００１で属性情報が登録されている部品の親部品であることを示している。なお、同図（Ａ）示した構成情報を階層的に表すと同図（Ｂ）に示すものとなる。属性情報記憶部３６には、図７に示すように、登録番号に対応付けて各部品の属性情報が登録されている。
【００２８】
入出力手段３１は、ネットワークを介して端末装置１及び登録情報生成装置２との間でデータをやり取りする機能や、登録情報生成装置２から送られてきた構成テンプレート及び情報テンプレートを記憶装置３７に登録する機能を有する。
【００２９】
属性情報生成手段３２は、登録情報生成装置２から送られてきた情報テンプレートに設定されている属性情報を属性情報記憶部３３に登録する機能を有する。但し、属性情報中の登録要求番号に「＊」が含まれている場合には、登録番号を自動採番し、自動採番した登録番号を「＊」と置き換えてから属性情報記憶部３６に登録する。更に、属性情報生成手段３２は、今回登録した各部品の属性情報と情報テンプレートに設定されていた情報種別番号とを含んだ属性情報変更要求を登録情報生成装置２へ送信する機能を有する。
【００３０】
構成情報生成手段３３は、登録情報生成装置２から送られてきた構成テンプレート中の情報種別番号を、該当する部品の属性情報の登録番号で置き換えた構成情報を生成し、構成情報記憶部３５に登録する機能を有する。
【００３１】
このような機能を有する構成登録管理装置３は、コンピュータによって実現可能であり、コンピュータによって実現する場合は、例えば、次のようにする。コンピュータを構成登録管理装置３として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に、入出力手段３１、属性情報生成手段３２、構成情報生成手段３３を実現する。
【００３２】
〔実施の形態の動作の説明〕
次に、本実施の形態の動作について詳細に説明する。
【００３３】
ユーザは、ある製品についての部品表（製品を構成する各部品の属性情報と、各部品の親子関係を示す構成情報とから構成される）を登録する場合、端末装置１から登録情報生成装置２に対して、上記製品の製品構成種別を含んだ部品表登録要求を入力する。
【００３４】
登録情報生成装置２内のテンプレート選択手段２２は、入出力部２１を介して部品表登録要求を受け付けると、それに含まれている製品構成種別に対応した構成テンプレートおよび情報テンプレートをテンプレート記憶部２６から検索して属性情報設定手段２３に引き渡す（図８のステップＳ８１）。今、例えば、部品表登録要求に製品構成種別Ａが含まれ、テンプレート記憶部２６の内容が図２に示すものであるとすると、テンプレート選択手段２２は、構成テンプレートＴａ１および情報テンプレートＴｂ１を属性情報設定手段２３に引き渡すことになる。なお、各テンプレートＴａ１、Ｔｂ１の内容はそれぞれ図３（Ａ）、図４（Ａ）に示すものであるとする。
【００３５】
属性情報設定手段２３は、構成テンプレートＴａ１および情報テンプレートＴｂ１を受け取ると、構成テンプレートＴａ１に親情報として設定されている情報種別番号ＰＡ００１をキーにして属性情報候補記憶部２７から情報テンプレートＴｂ１に設定する属性情報の候補を検索し、検索した候補中の品名の一覧を端末装置１へ出力する（ステップＳ８２）。属性情報候補記憶部２７の内容が図５に示すものであるとすると、品名の一覧として「ＰＣ−Ｘ−筐体、ルータ−Ｙ−筐体、…」を端末装置１を送信することになる。
【００３６】
端末装置１は、登録情報生成装置２から送られてきた品名の一覧「ＰＣ−Ｘ−筐体、ルータ−Ｙ−筐体、…」を表示部に表示し、ユーザは、表示された品名の中から今回登録する製品に関する品名を選択する。選択された品名（例えば、ＰＣ−Ｘ−筐体とする)は、端末装置１から登録情報生成装置２へ送信される。
【００３７】
登録情報生成装置２内の属性情報設定手段２３は、端末装置１から品名「ＰＣ−Ｘ−筐体」が送られてくると、次のような処理を行う。先ず、構成テンプレートＴａ１に親情報として登録されている情報種別番号「ＰＡ００１」と、品名の内の一部（製品を構成する各部品で共通な部分；ここでは、ＰＣ−Ｘとする）とをキーにして属性情報候補記憶部２７を検索し、情報テンプレートＴｂ１の第１行目（情報種別番号ＰＡ００１が登録されている行）に設定する属性情報の候補を取得する。ここでは、図５に示した属性情報の候補２７１が取得される。その後、候補２７１の内容を情報テンプレートＴｂ１の属性情報設定欄に設定する。親情報についての処理が終わると、構成テンプレートＴａ１に子情報として設定されている情報種別番号「ＰＡ００２」と、品名の一部「ＰＣ−Ｘ」とをキーにして前述した処理と同様の処理を行う。これにより、情報テンプレートＴｂ１の第２行目に図５に示した候補２７３の内容が設定される。以上の処理を構成テンプレートＴａ１に設定されている全ての子情報について行う（ステップＳ８３）。
【００３８】
そして、情報テンプレートＴｂ１の全ての行に属性情報を設定したら、属性情報設定手段２３は、属性情報が設定済みの情報テンプレートＴｂ１および構成テンプレートＴａ１を構成登録管理装置３へ送信する（ステップＳ８４）。本実施の形態では、情報テンプレートＴｂ１の全ての行に属性情報を設定後、直ちに構成登録管理装置３へ送信するようにしたが、属性情報の設定が完了した情報テンプレートＴｂ１を端末装置１に送信し、ユーザに属性情報を変更する機会を与えるようにしても良い。即ち、ユーザは、送られてきた情報テンプレートＴｂ１に設定されている属性情報の中に、変更したいものがあれば、それを変更後、登録情報生成装置２へ送信し、変更の必要がなければその旨を登録情報生成装置２へ通知する。属性情報設定手段２３は、端末装置１から変更の必要がない旨が通知された場合、ステップＳ８３で属性情報を設定した情報テンプレートＴｂ１を構成登録管理装置３へ送り、端末装置１から属性情報が変更された情報テンプレートＴｂ１が送られてきた場合は、それを構成登録管理装置３へ送る。また、属性情報設定手段２３で情報テンプレートＴｂ１に設定された属性情報の正当性（例えば、バージョン数が異常に大きい、品名の桁数が異常に多いなど）をチェックし、異常であった場合は、その旨を端末装置１へ送信するようにしても良い。
【００３９】
構成登録管理装置３内の入出力手段３１は、登録情報生成装置２から構成テンプレートＴａ１および属性情報が設定済みの情報テンプレートＴｂ１が送られてくると、それらを作業領域として利用する記憶装置３７に登録する。その後、構成登録管理装置３においては、図９のフローチャートに示す処理が行われる。今、例えば、登録情報生成装置２から図３（Ａ）に示す構成テンプレートＴａ１と、図１０に示す属性情報が設定済みの情報テンプレートＴｂ１とが送られてきたとすると、次のような処理が行われる。
【００４０】
先ず、属性情報生成手段３２が、記憶装置３７に登録されている情報テンプレートＴｂ１の第１行目に注目し、登録要求番号に「＊」が含まれているか否かを判定する。そして、「＊」が含まれていない場合（登録番号が設定されている場合）は、次の行に注目する。これに対して、「＊」が含まれている場合（登録番号が設定されていない場合）は、登録番号を自動採番し、「＊」を自動採番した登録番号で置き換える。属性情報生成手段３２は、情報テンプレートＴｂ１の全ての行について、上述した処理と同様の処理を行う（ステップＳ９１）。その後、記憶装置３７に登録されている登録番号が埋め込み済みの各属性情報を属性情報記憶部３６に登録する（ステップＳ９２）。以上の処理を行うことにより、例えば、図７の第１行目〜第３行目に示すような属性情報が、属性情報記憶部３６に登録されることになる。
【００４１】
次に、構成情報生成手段３３が、記憶装置３７に登録されている構成テンプレートＴａ１と、属性情報生成手段３２によって登録番号が埋め込み済みの情報テンプレートＴｂ１とに基づいて、製品を構成する部品の属性情報の親子関係を登録番号により表した構成情報を生成し、生成した構成情報を構成情報記憶部３５に登録する（ステップＳ９３、Ｓ９４）。具体的には、構成テンプレートＴａ１中の情報種別番号ＰＡ００１、ＰＡ００２、ＤＡ００１を、それぞれ情報テンプレートＴｂ１に情報種別番号ＰＡ００１、ＰＡ００２、ＤＡ００１と対応付けて埋め込まれている登録番号ＮＷＡ−００１、ＮＷＡ−００２、ＮＷＤ−００１で置き換えることにより、構成情報を生成する。これにより図６（Ａ）に示すような構成情報が構成情報記憶部３５に登録される。
【００４２】
ステップＳ９４の処理が終了すると、構成情報生成手段３３が今回登録した構成情報を端末装置１に送信し（ステップＳ９５）、端末装置１は送られてきた構成情報を表示部に表示する。これにより、ユーザは、今回登録した各部品に関する属性情報がどのような登録番号で登録されたのかを認識することができる。その後、属性情報生成手段３２が今回登録した各部品の属性情報と情報テンプレートＴｂ１に登録されていた情報種別番号（ＰＡ００１、ＰＡ００２、ＤＡ００１）とを含んだ属性情報変更要求を登録情報生成装置２へ送信する（ステップＳ９６）。
【００４３】
登録情報生成装置２内の属性情報更新手段２４は、構成登録管理装置３から属性情報変更要求が送られてくると、それに含まれている情報種別番号ＰＡ００１、ＰＡ００２、ＤＡ００１に対応付けて登録されている属性情報の候補の内、今回送られてきた属性情報と同じ品名が設定されているものを、今回送られてきた該当する属性情報（品名が同じ属性情報）で置き換える（図１１のステップＳ１１１）。
【００４４】
なお、属性情報生成手段３２においても、属性情報設定手段２３と同様に属性情報を登録する際、その正当性をチェックするようにしても良い。そして、正当でないと判断した場合は、その旨を端末装置１へ送信すると共に、属性情報や構成情報の登録処理を中止するようにしてもよい。
【００４５】
〔実施の形態の効果〕
本実施の形態によれば、ユーザが製品を構成する部品の親子関係を意識することなく、簡単な操作を行うだけで部品表を登録することが可能になるという効果を得ることができる。その理由は、ユーザは、部品表を登録する製品の製品構成種別に合った構成テンプレート、情報テンプレートを選択する操作と、情報テンプレートに設定する属性情報を予め用意されている候補の中から選択するという操作を行えば良いからである。
【００４６】
また、本実施の形態によれば、部品の属性情報に登録番号を含ませておかなくとも、ユニークな登録番号が埋め込まれた形で属性情報を管理することが可能になるという効果を得ることができる。その理由は、登録番号が未設定の属性情報（登録要求番号に「＊」が埋め込まれている属性情報）については、登録番号を自動採番するようにしているからである。
【産業上の利用可能性】
【００４７】
本発明は、ＰＤＭシステムなど部品表を利用するシステムに適用すると好適である。
【図面の簡単な説明】
【００４８】
【図１】本発明にかかる部品表登録システムの実施の形態の構成例を示すブロック図である。
【図２】テンプレート記憶部２６の内容例を示す図である。
【図３】構成テンプレートＴａ１，Ｔａ２の一例を示す図である。
【図４】情報テンプレートＴｂ１，Ｔｂ２の一例を示す図である。
【図５】属性情報候補記憶部２７の内容例を示す図である。
【図６】構成情報の一例を示す図である。
【図７】属性情報記憶部３６に登録される属性情報の一例を示す図である。
【図８】登録情報生成装置２の処理例を示すフローチャートである。
【図９】構成登録管理装置３の処理例を示すフローチャートである。
【図１０】属性情報が設定済みの情報テンプレートＴｂ１を示す図である。
【図１１】登録情報生成装置２の属性情報更新手段２４の処理例を示すフローチャートである。
【図１２】従来の部品表の登録方法を説明するための図である。
【図１３】従来の部品表の登録方法を説明するための図である。
【符号の説明】
【００４９】
１…端末装置
２…登録情報生成装置
２１…入出力手段
２２…テンプレート選択手段
２３…属性情報設定手段
２４…属性情報更新手段
２５…記憶装置
２６…テンプレート記憶部
２７…属性情報候補記憶部
３…構成登録管理装置
３１…入出力手段
３２…属性情報生成手段
３３…構成情報生成手段
３４、３７…記憶装置
３５…構成情報記憶部
３６…属性情報記憶部
【図１】
0005233361.tif 000002
【図２】
0005233361.tif 000003
【図３】
0005233361.tif 000004
【図４】
0005233361.tif 000005
【図５】
0005233361.tif 000006
【図６】
0005233361.tif 000007
【図７】
0005233361.tif 000008
【図８】
0005233361.tif 000009
【図９】
0005233361.tif 000010
【図１０】
0005233361.tif 000011
【図１１】
0005233361.tif 000012
【図１２】
0005233361.tif 000013
【図１３】
0005233361.tif 000014